(57)【要約】【課題】撮像漏れが生じた場合であっても、撮像漏れが生じた対象物の検査通過を効果的に防ぐ。【解決手段】判定装置は、対象物（２）を搬送する搬送部（１０、２０、３０、４０）と、対象物を搬送経路において撮像して対象物の画像データを作成し、さらに、画像データを転送する撮像部（５１、５２、５３、７１、７２）と、画像データに基づいて、対象物の撮像漏れが生じたことを判定する判定部（３）とを備える。画像データは、時刻情報とともに判定部に転送される。判定部は、時刻情報から得られる対象物の第１の撮像時刻と、搬送速度から算出される対象物の第２の撮像時刻とが異なる場合に、対象物の撮像漏れが生じたことを判定する。【選択図】図１
2019138763.tif 000002
【特許請求の範囲】
【請求項１】
少なくとも１つの対象物を搬送する搬送部と、
前記搬送部によって搬送される前記対象物を前記対象物の搬送経路において撮像して前記対象物の画像データを作成し、さらに、前記画像データを転送する撮像部と、
受信した前記画像データに基づいて、前記対象物の撮像漏れが生じたことを判定する判定部とを備え、
前記画像データは、前記対象物の撮像時刻に関する情報である時刻情報とともに前記判定部に転送され、
前記判定部は、前記時刻情報から得られる前記対象物の撮像時刻である第１の撮像時刻と、前記搬送経路において前記対象物が搬送される速度である搬送速度から算出される前記対象物の撮像時刻である第２の撮像時刻とが異なる場合に、前記対象物の撮像漏れが生じたことを判定する、
判定装置。
【請求項２】
前記時刻情報は、前記撮像部が前記対象物を撮像した後、作成された前記画像データを転送した時刻を示す情報を含む、
請求項１に記載の判定装置。
【請求項３】
前記時刻情報は、前記判定部が前記画像データを受信した時刻を示す情報を含む、
請求項１または請求項２に記載の判定装置。
【請求項４】
前記撮像部は、前記搬送部によって搬送される複数の前記対象物を前記搬送経路において順次撮像して複数の前記画像データを順次作成し、さらに、複数の前記画像データを順次転送し、
前記判定部は、複数の前記時刻情報から得られる複数の前記対象物間の撮像間隔である第１の撮像間隔と、前記搬送速度と複数の前記対象物の配置間隔とから算出される複数の前記対象物間の撮像間隔である第２の撮像間隔とが異なる場合に、対応する前記対象物の撮像漏れが生じたことを判定する、
請求項１から請求項３のうちのいずれか１項に記載の判定装置。
【請求項５】
前記判定部の判定結果に基づいて、撮像漏れが生じた前記対象物を選別する選別部をさらに備える、
請求項１から請求項４のうちのいずれか１項に記載の判定装置。
【請求項６】
前記選別部は、撮像漏れが生じたと判定された前記対象物を、前記搬送経路における前記撮像部よりも上流の位置へ戻す、
請求項５に記載の判定装置。
【請求項７】
請求項１から請求項６のうちのいずれか１項に記載の判定装置と、
前記判定装置によって撮像漏れの有無を判定された錠剤に印刷を行う印刷部とを備える、
錠剤印刷装置。
【請求項８】
前記印刷部は、前記判定装置によって撮像漏れが生じていないと判定された前記錠剤にのみ印刷を行う、
請求項７に記載の錠剤印刷装置。
【請求項９】
少なくとも１つの対象物を搬送する工程と、
搬送される前記対象物を前記対象物の搬送経路において撮像して前記対象物の画像データを作成し、さらに、前記画像データを転送する工程と、
受信した前記画像データに基づいて、前記対象物の撮像漏れが生じたことを判定する工程とを備え、
前記画像データは、前記対象物の撮像時刻に関する情報である時刻情報とともに転送され、
前記対象物の撮像漏れが生じたことを判定する工程は、前記時刻情報から得られる前記対象物の撮像時刻である第１の撮像時刻と、前記搬送経路において前記対象物が搬送される速度である搬送速度から算出される前記対象物の撮像時刻である第２の撮像時刻とが異なる場合に、前記対象物の撮像漏れが生じたことを判定する工程である、
判定方法。
【請求項１０】
請求項９に記載の判定方法によって撮像漏れの有無を判定された錠剤に印刷を行う工程を備える、
錠剤印刷方法。
【請求項１１】
前記判定方法によって撮像漏れが生じていないと判定された前記錠剤にのみ印刷を行う、
請求項１０に記載の錠剤印刷方法。
【発明の詳細な説明】
【技術分野】
【０００１】
本願明細書に開示されるこの発明は、例えば、錠剤の検査および印刷技術に関するものである。
【背景技術】
【０００２】
従来から、錠剤などの対象物の外観検査は、対象物を撮像して得られた画像データに所定の画像処理を施して外観の良否を判定することによって行われている（例えば、特許文献１を参照）。
【先行技術文献】
【特許文献】
【０００３】
【特許文献１】特開２００７−１１４１８０号公報
【発明の概要】
【発明が解決しようとする課題】
【０００４】
錠剤の撮像は、錠剤の搬送速度に合わせて順次行われるが、撮像処理が適切に行われずに撮像漏れが生じる場合がある。
【０００５】
従来、このような撮像漏れは、複数の錠剤の外観検査の終了後に当該検査に用いられた画像データの数を確認することによって把握されていた。
【０００６】
しかしながら、このような方法では、撮像漏れが生じた錠剤が不良品などであるにも関わらず既に検査を通過している可能性があった。また、このような撮像漏れが生じた錠剤の検査通過を防ぐために、撮像漏れが生じた可能性のある錠剤を全て破棄するなどの措置をとらざるを得ない場合もあった。
【０００７】
本願明細書に開示されるこの発明は、以上に記載されたような問題を解決するためになされたものであり、撮像漏れが生じた場合であっても、撮像漏れが生じた対象物の検査通過を効果的に防ぐための技術を提供することを目的とするものである。
【課題を解決するための手段】
【０００８】
本願明細書に開示される技術の第１の態様は、少なくとも１つの対象物を搬送する搬送部と、前記搬送部によって搬送される前記対象物を前記対象物の搬送経路において撮像して前記対象物の画像データを作成し、さらに、前記画像データを転送する撮像部と、受信した前記画像データに基づいて、前記対象物の撮像漏れが生じたことを判定する判定部とを備え、前記画像データは、前記対象物の撮像時刻に関する情報である時刻情報とともに前記判定部に転送され、前記判定部は、前記時刻情報から得られる前記対象物の撮像時刻である第１の撮像時刻と、前記搬送経路において前記対象物が搬送される速度である搬送速度から算出される前記対象物の撮像時刻である第２の撮像時刻とが異なる場合に、前記対象物の撮像漏れが生じたことを判定する。
【０００９】
本願明細書に開示される技術の第２の態様は、第１の態様に関連し、前記時刻情報は、前記撮像部が前記対象物を撮像した後、作成された前記画像データを転送した時刻を示す情報を含む。
【００１０】
本願明細書に開示される技術の第３の態様は、第１の態様または第２の態様に関連し、前記時刻情報は、前記判定部が前記画像データを受信した時刻を示す情報を含む。
【００１１】
本願明細書に開示される技術の第４の態様は、第１の態様から第３の態様のうちのいずれか１つに関連し、前記撮像部は、前記搬送部によって搬送される複数の前記対象物を前記搬送経路において順次撮像して複数の前記画像データを順次作成し、さらに、複数の前記画像データを順次転送し、前記判定部は、複数の前記時刻情報から得られる複数の前記対象物間の撮像間隔である第１の撮像間隔と、前記搬送速度と複数の前記対象物の配置間隔とから算出される複数の前記対象物間の撮像間隔である第２の撮像間隔とが異なる場合に、対応する前記対象物の撮像漏れが生じたことを判定する。
【００１２】
本願明細書に開示される技術の第５の態様は、第１の態様から第４の態様のうちのいずれか１つに関連し、前記判定部の判定結果に基づいて、撮像漏れが生じた前記対象物を選別する選別部をさらに備える。
【００１３】
本願明細書に開示される技術の第６の態様は、第５の態様に関連し、前記選別部は、撮像漏れが生じたと判定された前記対象物を、前記搬送経路における前記撮像部よりも上流の位置へ戻す。
【００１４】
本願明細書に開示される技術の第７の態様は、第１の態様から第６の態様のうちのいずれか１つに関連し、上記の判定装置と、前記判定装置によって撮像漏れの有無を判定された錠剤に印刷を行う印刷部とを備える。
【００１５】
本願明細書に開示される技術の第８の態様は、第７の態様に関連し、前記印刷部は、前記判定装置によって撮像漏れが生じていないと判定された前記錠剤にのみ印刷を行う。
【００１６】
本願明細書に開示される技術の第９の態様は、少なくとも１つの対象物を搬送する工程と、搬送される前記対象物を前記対象物の搬送経路において撮像して前記対象物の画像データを作成し、さらに、前記画像データを転送する工程と、受信した前記画像データに基づいて、前記対象物の撮像漏れが生じたことを判定する工程とを備え、前記画像データは、前記対象物の撮像時刻に関する情報である時刻情報とともに転送され、前記対象物の撮像漏れが生じたことを判定する工程は、前記時刻情報から得られる前記対象物の撮像時刻である第１の撮像時刻と、前記搬送経路において前記対象物が搬送される速度である搬送速度から算出される前記対象物の撮像時刻である第２の撮像時刻とが異なる場合に、前記対象物の撮像漏れが生じたことを判定する工程である。
【００１７】
本願明細書に開示される技術の第１０の態様は、第９の態様に関連し、上記の判定方法によって撮像漏れの有無を判定された錠剤に印刷を行う工程を備える。
【００１８】
本願明細書に開示される技術の第１１の態様は、第１０の態様に関連し、前記判定方法によって撮像漏れが生じていないと判定された前記錠剤にのみ印刷を行う。
【発明の効果】
【００１９】
本願明細書に開示される技術の第１および第９の態様によれば、画像データとともに転送される時刻情報から得られる対象物の第１の撮像時刻と、搬送速度から算出される対象物の第２の撮像時刻とを比較することによって、撮像漏れが生じた対象物を特定することができる。よって、撮像漏れが生じた対象物の検査通過を効果的に防ぐことができる。
【００２０】
特に、第２の態様によれば、判定部に画像データが転送された時刻に基づいて撮像漏れが生じたか否かを判定することができる。
【００２１】
特に、第３の態様によれば、判定部が画像データを受信した時刻に基づいて撮像漏れが生じたか否かを判定することができる。
【００２２】
特に、第４の態様によれば、順次搬送される複数の対象物が撮像部において撮像される時間間隔に基づいて、撮像漏れが生じたか否かを判定することができる。
【００２３】
特に、第５の態様によれば、撮像漏れが生じた対象物を、撮像漏れが生じていない対象物と分けることができる。そのため、たとえば、撮像漏れが生じた対象物を搬送経路に再投入する際にも、効率的に処理を行うことができる。
【００２４】
特に、第６の態様によれば、撮像漏れが生じた対象物を撮像部で再び撮像することができる。
【００２５】
特に、第７および第１０の態様によれば、撮像漏れの有無に応じて印刷を行う錠剤を選択することができる。
【００２６】
特に、第８および第１１の態様によれば、撮像漏れが生じていない錠剤のみに対して印刷を行うことができる。
【００２７】
本願明細書に開示される技術に関する目的と、特徴と、局面と、利点とは、以下に示される詳細な説明と添付図面とによって、さらに明白となる。
【図面の簡単な説明】
【００２８】
【図１】実施の形態に関する、錠剤印刷装置の全体構成を概略的に例示する図である。
【図２】搬送ドラムおよび搬送ベルトの外観を示す斜視図である。
【図３】錠剤印刷装置における処理動作の手順を示すフローチャートである。
【図４】錠剤印刷装置における処理動作の手順を示すフローチャートである。
【図５】錠剤の平面図である。
【図６】複数の時刻情報が、基準時刻からの経過時間を含む場合の例を示す図である。
【図７】インクジェットヘッドによる印刷処理結果の一例を示す図である。
【図８】インクジェットヘッドによる印刷処理結果の一例を示す図である。
【発明を実施するための形態】
【００２９】
以下、添付される図面を参照しながら実施の形態について説明する。
【００３０】
なお、図面は概略的に示されるものであり、説明の便宜のため、適宜、構成の省略、または、構成の簡略化がなされるものである。また、異なる図面にそれぞれ示される構成などの大きさおよび位置の相互関係は、必ずしも正確に記載されるものではなく、適宜変更され得るものである。
【００３１】
また、以下に示される説明では、同様の構成要素には同じ符号を付して図示し、それらの名称と機能とについても同様のものとする。したがって、それらについての詳細な説明を、重複を避けるために省略する場合がある。
【００３２】
また、以下に記載される説明において、「第１の」、または、「第２の」などの序数が用いられる場合があっても、これらの用語は、実施の形態の内容を理解することを容易にするために便宜上用いられるものであり、これらの序数によって生じ得る順序などに限定されるものではない。
【００３３】
＜実施の形態＞
＜錠剤印刷装置の構成について＞
図１は、本実施の形態に関する錠剤印刷装置の全体構成を概略的に例示する図である。図１に例示されるように、錠剤印刷装置１は、錠剤の表裏両面に対して印刷処理を行う装置である。
【００３４】
錠剤印刷装置１は、少なくとも、ホッパー８と、搬送ドラム１０と、搬送ベルト２０と、搬送ベルト３０と、外観検査カメラ５１と、外観検査カメラ５２と、外観検査カメラ５３と、インクジェットヘッド６１と、インクジェットヘッド６２を備える。また、錠剤印刷装置１は、装置に設けられた各駆動部を制御して錠剤に対する検査処理および印刷処理を進行させる制御部３を備える。
【００３５】
ホッパー８は、錠剤印刷装置１の筐体５の天井部上側に設けられる。ホッパー８は、多数の錠剤を一括して装置内に投入するための投入部である。ホッパー８から投入された複数の錠剤は、傾斜面に沿って直進フィーダ１２２へ流れ込む。直進フィーダ１２２に供給された複数の錠剤は、振動トラフの振動によって、回転フィーダ１２３側へ搬送される。そして、回転フィーダ１２３における回転台の回転による遠心力で、回転台の外周部付近へ集まる。そして、回転台の外周部付近に集まった錠剤は、回転台の外周部から搬送ドラム１０まで鉛直下向きに延びる供給フィーダ１２４によって、搬送ドラム１０に供給される。
【００３６】
図２は、搬送ドラム１０および搬送ベルト２０の外観を示す斜視図である。搬送ドラム１０は、略円筒形状を有しており、回転駆動モータ（ここでは、図示しない）によってＹ軸方向に沿う中心軸を回転中心として時計回りに回転される。図２に例示されるように、搬送ドラム１０の外周面には複数の吸着孔１１が形成されている。本実施の形態では、搬送ドラム１０の中心軸に沿って等間隔で５列に吸着孔１１が形成されている。また、５列１組の吸着孔１１が搬送ドラム１０の外周面の周方向に沿って等間隔で複数行に設けられている。
【００３７】
吸着孔１１の形状は、検査処理および印刷処理の対象物の形状に応じたものとなる。例えば、本実施の形態では円盤形状の錠剤を処理するため、吸着孔１１の形状も円形としている。吸着孔１１のサイズは錠剤の大きさよりもやや大きい。例えば、円盤形状の錠剤の直径が約１０ｍｍであれば、吸着孔１１の直径は約１２ｍｍとされる。
【００３８】
複数の吸着孔１１の底部には吸着孔１１よりも小さな小孔が設けられており、複数の吸着孔１１のそれぞれは当該小孔を介して搬送ドラム１０の内部に設けられた吸引機構（ここでは、図示しない）と連通している。当該吸引機構を作動させることによって、複数の吸着孔１１のそれぞれに大気圧よりも低い負圧を作用させることができる。これによって、搬送ドラム１０の各吸着孔１１は１個の錠剤を吸着保持することができる。
【００３９】
また、搬送ドラム１０の内部には、搬送ベルト２０に対向する部位の近傍にブロー機構が設けられている。当該ブロー機構は、吸着孔１１の底部に設けられた上記の小孔に向けて加圧されたエアーを吹き付ける。ブロー機構が小孔にエアーを吹き付けることによって、吸着孔１１には大気圧よりも高い圧力を作用させることができる。これによって、吸着孔１１による錠剤の吸着状態を解除することができる。このように、搬送ドラム１０に設けられた複数の吸着孔１１の全体には吸引機構によって吸引力を作用させつつも、搬送ベルト２０に対向している５列１行の吸着孔１１についてはブロー機構によって吸着を解除することができる。
【００４０】
搬送ベルト２０は、複数の保持板２２をベルト状につなぎ合わせたものを一対のプーリに掛け渡して構成される。一対のプーリが駆動モータ（ここでは、図示しない）によって回転駆動されることによって、複数の保持板２２からなるベルト状体が図１の矢印の方向に移動する。搬送ベルト２０は、複数の保持板２２からなるベルト状体の一部が搬送ドラム１０の外周面に近接して対向するように設置されている。
【００４１】
図２に例示されるように、複数の保持板２２のそれぞれにはベルトの幅方向（Ｙ軸方向）に沿って等間隔で複数の吸着孔２１が形成されている。本実施の形態では、各保持板２２にＹ軸方向に沿って５列に吸着孔２１が形成されている。搬送ベルト２０の吸着孔２１自体の形状および大きさは搬送ドラム１０の吸着孔１１と同じである。また、各保持板２２に５列に並べられた吸着孔２１の間隔も、搬送ドラム１０の中心軸に沿って５列に並べられた吸着孔１１の間隔と等しい。
【００４２】
吸着孔１１と同様に、複数の吸着孔２１の底部には吸着孔２１よりも小さな小孔が設けられており、複数の吸着孔２１のそれぞれは当該小孔を介して搬送ベルト２０の内部に設けられた吸引機構と連通している。当該吸引機構を作動させることによって、複数の吸着孔２１のそれぞれに大気圧よりも低い負圧を作用させることができる。これによって、搬送ベルト２０の各吸着孔２１は１個の錠剤を吸着保持することができる。
【００４３】
また、搬送ベルト２０の内部には、後述する搬送ベルト３０に対向する部位の近傍にブロー機構が設けられている。当該ブロー機構は、吸着孔２１の底部に設けられた上記の小孔に向けて加圧されたエアーを吹き付ける。ブロー機構が小孔にエアーを吹き付けることによって、吸着孔２１には大気圧よりも高い圧力を作用させることができる。これによって、吸着孔２１による錠剤の吸着状態を解除することができる。
【００４４】
搬送ベルト３０の構成は、搬送ベルト２０と概ね同様である。すなわち、搬送ベルト３０は、複数の保持板をベルト状につなぎ合わせたものを一対のプーリに掛け渡して構成される。一対のプーリが駆動モータによって回転駆動されることにより、搬送ベルト３０は図１の矢印の方向に移動する。搬送ベルト３０は、複数の保持板からなるベルト状体の一部が搬送ベルト２０に近接して対向するように設置されている。
【００４５】
搬送ベルト３０の保持板にも、ベルトの幅方向（Ｙ軸方向）に沿って等間隔で複数（本実施の形態では５列）の吸着孔が形成されている。
【００４６】
上記と同様に、搬送ベルト３０の吸着孔には、搬送ベルト３０の内部に設けられた吸引機構によって大気圧よりも低い負圧を作用させることができる。これによって、搬送ベルト３０の各吸着孔は１個の錠剤を吸着保持することができる。また、搬送ベルト３０の内部には、たとえば４箇所にわたって、ブロー機構が設けられている。ブロー機構がエアーを吹き付けることによって搬送ベルト３０の吸着孔に大気圧よりも高い圧力を作用させて当該吸着孔による錠剤の吸着状態を解除することができる。
【００４７】
搬送ベルト３０の４箇所のブロー機構は、いずれも下方または斜め下方に向けてエアーを吹き付ける。従って、４箇所のブロー機構のうち、良品ダクト４８に対向する部位に設けられたブロー機構がエアーを吹き付けることによって、吸着孔による錠剤の吸着状態を解除して当該錠剤を良品ダクト４８に放出することができる。良品ダクト４８に放出された錠剤は良品回収ボックス５８に回収される。
【００４８】
また、撮像漏れダクト４９に対向する部位に設けられたブロー機構がエアーを吹き付けることによって、吸着孔による錠剤の吸着状態を解除して当該錠剤を撮像漏れダクト４９に放出することができる。撮像漏れダクト４９に放出された錠剤は撮像漏れボックス５９に回収される。
【００４９】
また、外観不良品ダクト４７に対向する部位に設けられたブロー機構がエアーを吹き付けることによって、吸着孔による錠剤の吸着状態を解除して当該錠剤を外観不良品ダクト４７に放出することができる。外観不良品ダクト４７に放出された錠剤は外観不良品ボックス５７に回収される。
【００５０】
さらに、印刷不良品ダクト４６に対向する部位に設けられたブロー機構がエアーを吹き付けることによって、吸着孔による錠剤の吸着状態を解除して当該錠剤を印刷不良品ダクト４６に放出することができる。印刷不良品ダクト４６に放出された錠剤は印刷不良品ボックス５６に回収される。
【００５１】
次に、外観検査カメラ５１、外観検査カメラ５２および外観検査カメラ５３は、いずれも所定領域を撮像するための撮像部であり、例えばＣＭＯＳカメラまたはＣＣＤカメラである。
【００５２】
外観検査カメラ５１は、撮像エリアが搬送ドラム１０の外周面となるように当該外周面に対向して設置されている。
【００５３】
外観検査カメラ５１は、搬送ドラム１０の吸着孔１１に吸着保持されて搬送される複数の錠剤を撮像する。外観検査カメラ５１の撮像エリアの大きさは適宜のものとすることが可能であるが、搬送ドラム１０の円筒周面を撮像することとなるため、その円筒周面の広範囲にわたって焦点を合わせることは困難である。このため、外観検査カメラ５１の撮像エリアは、少なくとも外観検査カメラ５１に対向している５列１行の錠剤を撮像可能な大きさであればよい。
【００５４】
外観検査カメラ５２は、撮像エリアが搬送ベルト２０の搬送面となるように当該搬送面に対向して設置されている。外観検査カメラ５２は、搬送ベルト２０の搬送方向に沿って搬送ドラム１０との対向位置よりも下流側であって、かつ、インクジェットヘッド６１よりも上流側を撮像できる位置に設けられている。
【００５５】
外観検査カメラ５２は、搬送ベルト２０よって吸着保持されて搬送される複数の錠剤を撮像する。外観検査カメラ５２の撮像エリアの大きさは適宜のものとすることが可能であり、少なくとも外観検査カメラ５２に対向している５列１行の錠剤を撮像可能な大きさであればよい。
【００５６】
なお、搬送ドラム１０とは異なり、搬送ベルト２０の搬送面は略平面であるため、外観検査カメラ５２の撮像エリアが広くてもその全面について焦点を合わせることも比較的容易である。
【００５７】
外観検査カメラ５３は、撮像エリアが搬送ベルト３０の搬送面となるように当該搬送面に対向して設置されている。外観検査カメラ５３は、搬送ベルト３０の搬送方向に沿って搬送ベルト２０との対向位置よりも下流側であって、かつ、インクジェットヘッド６２よりも上流側を撮像できる位置に設けられている。
【００５８】
外観検査カメラ５３は、搬送ベルト３０よって吸着保持されて搬送される複数の錠剤を撮像する。外観検査カメラ５３の撮像エリアの大きさは適宜のものとすることが可能であり、少なくとも外観検査カメラ５３に対向している５列１行の錠剤を撮像可能な大きさであればよい。
【００５９】
外観検査カメラ５２と同様に、搬送ベルト３０の搬送面は略平面であるため、外観検査カメラ５３の撮像エリアが広くてもその全面について焦点を合わせることも比較的容易である。
【００６０】
インクジェットヘッド６１およびインクジェットヘッド６２は、複数の吐出ノズルを備えており、それら吐出ノズルからインクジェット方式によってインクの液滴を吐出する。インクジェットの方式は、ピエゾ素子（圧電素子）に電圧を加えて変形させることによってインクの液滴を吐出するピエゾ方式であってもよいし、ヒータに通電してインクを加熱することによってインクの液滴を吐出するサーマル方式であってもよい。
【００６１】
本実施の形態においては、医薬品の錠剤などに印刷処理を行うため、インクジェットヘッド６１およびインクジェットヘッド６２から吐出するインクとしては、食品衛生法で認められている原料によって製造された可食性インクを使用することが望ましい。また、インクジェットヘッド６１およびインクジェットヘッド６２は、シアン（Ｃ）、マゼンタ（Ｍ）、イエロー（Ｙ）および黒（Ｋ）の４色のインクを吐出可能であり、これらを混合することによってカラー印刷が可能である。ただし、インクジェットヘッド６１およびインクジェットヘッド６２が吐出するインクの色はこれに限られるものではない。また、それぞれのヘッドが吐出するインクの色が全て異なる色である必要はなく、一部のヘッドが吐出するインクの色が同じ色であってもよい。
【００６２】
インクジェットヘッド６１は、搬送ベルト２０の搬送方向に沿って外観検査カメラ５２よりも下流側に設けられている。インクジェットヘッド６１は、搬送ベルト２０によって吸着保持されて搬送される複数の錠剤に対して印刷処理を行う。
【００６３】
また、インクジェットヘッド６２は、搬送ベルト３０の搬送方向に沿って外観検査カメラ５３よりも下流側に設けられている。インクジェットヘッド６２は、搬送ベルト３０によって吸着保持されて搬送される複数の錠剤に対して印刷処理を行う。
【００６４】
なお、インクジェットヘッド６１およびインクジェットヘッド６２は、それぞれ搬送ベルト２０および搬送ベルト３０の幅方向全域をカバーするフルラインヘッドであることが好ましい。
【００６５】
また、錠剤印刷装置１は、製品検査カメラ７１および製品検査カメラ７２を備える。製品検査カメラ７１および製品検査カメラ７２としては、例えばＣＣＤカメラを用いることができる。製品検査カメラ７１は、撮像エリアがプーリ１０Ａの外周面となるように当該外周面に対向して設置されている。製品検査カメラ７１は、搬送ベルト２０の搬送方向に沿ってインクジェットヘッド６１よりも下流側を撮像できる位置に設けられている。製品検査カメラ７１は、搬送ベルト２０によって吸着保持されて搬送される複数の錠剤を撮像する。
【００６６】
製品検査カメラ７２は、撮像エリアがプーリ１０Ｂの外周面となるように当該外周面に対向して設置されている。製品検査カメラ７２は、搬送ベルト３０によって吸着保持されて搬送される複数の錠剤を撮像する。
【００６７】
また、錠剤印刷装置１は、ヒータ７６およびヒータ７７を備える。ヒータ７６およびヒータ７７としては、例えば熱風を吹き付けて錠剤を加熱して乾燥させる熱風乾燥式ヒータを用いることができる。ヒータ７６は、搬送ベルト２０の搬送方向に沿ってインクジェットヘッド６１よりも下流側に設けられている。ヒータ７６は、インクジェットヘッド６１によって印刷処理が行われた錠剤に対して熱風を吹き付けて乾燥させる。
【００６８】
ヒータ７７は、搬送ベルト３０の搬送方向に沿ってインクジェットヘッド６２よりも下流側に設けられている。ヒータ７７は、インクジェットヘッド６２によって印刷処理が行われた錠剤に対して熱風を吹き付けて乾燥させる。
【００６９】
なお、ヒータ７６およびヒータ７７はそれぞれ搬送ベルト２０および搬送ベルト３０の下方に設けられているが、上述したものと同様に、搬送ベルト２０および搬送ベルト３０は錠剤を吸着保持して搬送するため、錠剤が下側を向いている状態であっても当該錠剤は落下せずに搬送される。
【００７０】
また、錠剤の乾燥処理にはヒータが必ずしも用いられる必要はなく、錠剤の種類によっては自然乾燥によって乾燥させることが望ましい場合もある。その場合には、ヒータ７６およびヒータ７７は備えられていなくてもよい。
【００７１】
さらに、錠剤印刷装置１は、清掃機構８３および清掃機構８４を備える。搬送ベルト２０および搬送ベルト３０には、錠剤から生じた粉体が付着することがある。清掃機構８３および清掃機構８４は、それぞれ搬送ベルト２０および搬送ベルト３０に付着した粉体を清掃する。清掃機構８３および清掃機構８４としては、例えばエアーを吹き付けて周辺雰囲気を吸引回収するものを採用することができる。
【００７２】
制御部３は、錠剤印刷装置１に設けられた上記の種々の動作機構を制御する。制御部３のハードウェアとしての構成は一般的なコンピュータと同様である。すなわち、制御部３は、各種演算処理を行うＣＰＵ、基本プログラムを記憶する読み出し専用のメモリであるＲＯＭ、各種情報を記憶する読み書き自在のメモリであるＲＡＭおよび制御用ソフトウェアやデータなどを記憶しておく磁気ディスクを備えて構成される。制御部３のＣＰＵが所定の処理プログラムを実行することによって錠剤印刷装置１における錠剤に対する処理が進行する。また、制御部３は、外観検査カメラ５１および外観検査カメラ５２等によって取得された画像データに基づいてインクジェットヘッド６１およびインクジェットヘッド６２を制御する印刷制御部としての機能も有している。
【００７３】
さらに、制御部３は、外観検査カメラ５１、外観検査カメラ５２、外観検査カメラ５３、製品検査カメラ７１または製品検査カメラ７２等によって取得された画像データとともに制御部３に転送される錠剤２の撮像時刻に関する情報（以下、時刻情報）に基づいて、錠剤２の撮像漏れが生じたか否かを判定する機能も有している。
【００７４】
ここで、時刻情報には、いずれかのカメラが錠剤２を撮像した撮像時刻、基準時刻からの経過時間、当該画像データが制御部３に転送された時刻、および、当該画像データが制御部３に受信された時刻のうちの少なくとも１つが含まれる。
【００７５】
なお、上記の撮像時刻は、カメラが錠剤２を撮像した絶対時刻であってもよいし、基準時刻からの経過時間に対応する相対時刻であってもよい。また、基準時刻は、ある特定の時刻に対応する絶対時刻であってもよいし、錠剤印刷装置１における動作工程などに関連づけられた概念的な時刻であってもよい。
【００７６】
また、取得された画像データとともに制御部３に転送される時刻情報は、たとえば、画像データのヘッダー情報に含まれる情報であってもよいし、画像上に表示される態様のデータであってもよい。
【００７７】
＜錠剤印刷装置の動作について＞
次に、上記構成を有する錠剤印刷装置１における処理動作について説明する。図３および図４は、錠剤印刷装置１における処理動作の手順を示すフローチャートである。
【００７８】
まず、錠剤印刷装置１のホッパー８に複数の錠剤を一括投入する（ステップＳ１）。錠剤の一括投入は、作業者がバケツなどを用いて手動で行うようにしてもよいし、錠剤印刷装置１とは別体の搬送機構などによって自動で行うようにしてもよい。
【００７９】
本実施の形態では、複数の円盤形状の錠剤２がホッパー８に投入される。図５は、錠剤２の平面図である。錠剤２の片面には、半分に割るための割線７が形成されている。割線７は、円盤形状の錠剤２の径方向に沿って刻まれた溝である。割線７は錠剤２の片面のみに形成されている。
【００８０】
本実施の形態では、割線７が設けられている側の面を錠剤２の表面とする。錠剤２の裏面には割線７は形成されていない。なお、錠剤２の表面と裏面とでは薬剤としての性質に相違があるものではなく、単に区別のための便宜上、割線７が設けられている側の面を表面としているに過ぎない。
【００８１】
ホッパー８に投入された複数の錠剤２は供給フィーダ１２４によって搬送ドラム１０に導かれ、複数の錠剤２が１個ずつ搬送ドラム１０の吸着孔１１に吸着保持される。
【００８２】
搬送ドラム１０には、搬送方向（搬送ドラム１０の周方向）に垂直な方向、つまり搬送ドラム１０の中心軸方向に沿って５列に吸着孔１１が形成されている。従って、搬送ドラム１０は、搬送方向と垂直な方向に５個の錠剤を整列させた５列にて複数の錠剤２を搬送する。
【００８３】
本明細書では、搬送ドラム１０の搬送方向と垂直な方向に５個の錠剤を配列した単位を「行」と表記する。すなわち、搬送ドラム１０は、各吸着孔１１に個別に錠剤２を吸着保持し、複数の錠剤２を５列複数行に整列させた状態で搬送する（ステップＳ２）。
【００８４】
なお、ホッパー８から投入された錠剤２を搬送ドラム１０が５個ずつ円滑に吸着保持できるように、ホッパー８に複数の錠剤２を５個ずつ整列させて供給する整列機構を取り付けるようにしてもよい。このような整列機構としては、例えばボールフィーダー方式の機構を採用することができる。
【００８５】
次に、搬送ドラム１０によって搬送されている複数の錠剤２を外観検査カメラ５１が撮像する（ステップＳ３）。複数の錠剤２は、搬送ドラム１０の吸着孔１１に保持されて搬送ドラム１０の周方向に沿って図１の紙面上で時計回りに搬送される。複数の錠剤２は、５列ずつ整列されて搬送されるものの、各錠剤２の表面が搬送ドラム１０の内側（搬送ドラム１０の中心側）を向いているか外側を向いているかは全くランダムである。また、円形の吸着孔１１によって円形の錠剤２を保持することとなるため、錠剤２の方向性は任意となり、搬送ドラム１０によって搬送される各錠剤２の割線７の向きも全くランダムである。
【００８６】
外観検査カメラ５１は、搬送ドラム１０の外側から錠剤２を撮像する。よって、外観検査カメラ５１によって撮像される複数の錠剤２には、外観検査カメラ５１に対して表面を向けているものと裏面を向けているものとがランダムに含まれている。
【００８７】
換言すれば、外観検査カメラ５１は、搬送ドラム１０によって搬送される複数の錠剤２の一方面を撮像しているのである。ここで、「一方面」とは、錠剤２の表面であるか裏面であるかに関わりなく、搬送ドラム１０によって搬送されている錠剤２の搬送ベルトに接触している面とは反対側の面である。
【００８８】
また、外観検査カメラ５１は、搬送ドラム１０の搬送方向と垂直な方向に５個の錠剤を配列した行ごとに撮像を行う。このようにしている理由は、搬送ドラム１０の外周面が円筒状であるため、複数行にわたって外観検査カメラ５１の焦点を合わせることが困難であるというものである。
【００８９】
通常、医薬品である錠剤２の製造に際しては異物などの混入がないように万全の品質管理がなされているが、それでもなお異物などが混入することもある。このような異物としては、例えば人の髪の毛や金属粉などがあり得る。
【００９０】
外観検査カメラ５１は、搬送ドラム１０によって搬送される複数の錠剤２の一方面を撮像することにより、複数の錠剤２の一方面に付着している異物などを検出する（ステップＳ４）。
【００９１】
外観検査カメラ５１によって撮像された結果である画像データは、制御部３に転送される。制御部３は、その画像データに所定の画像処理を施すことによって、複数の錠剤２のうち一方面に表面を向けている錠剤２の割線７の方向および一方面に異物６が付着している錠剤２を認識する。
【００９２】
また、上記の画像データのたとえばヘッダー情報として、当該撮像の時刻情報も制御部３に転送される。
【００９３】
制御部３は、画像データとともに転送された時刻情報に基づいて、画像データにおける錠剤２の撮像時刻（以下、実撮像時刻）を把握する。また、制御部３は、搬送経路において錠剤２が搬送される速度である搬送速度に基づいて、当該錠剤２の予想される撮像時刻（以下、予想撮像時刻）を算出する。そして、制御部３は、実撮像時刻と予想撮像時刻とが異なる場合に、錠剤２の撮像漏れが生じたと判定する（ステップＳ５）。
【００９４】
実撮像時刻については、たとえば、時刻情報がいずれかのカメラが錠剤２を撮像した時刻を含むものであれば、時刻情報に含まれる当該撮像時刻を実撮像時刻としてそのまま参照する。また、時刻情報が当該画像データが制御部３に転送された時刻を含むものであれば、作成された画像データが制御部３へ転送されるまでのあらかじめ定められた時間分を差し引いた時刻を実撮像時刻として算出する。また、時刻情報が当該画像データが制御部３に受信された時刻を含むものであれば、作成された画像データが制御部３において受信されるまでのあらかじめ定められた時間分を差し引いた時刻を実撮像時刻として算出する。
【００９５】
なお、画像データが転送されるまでの時間、および、画像データが受信されるまでの時間には、画像データの作成量または作成方法などによってばらつきが生じ得るため、時刻情報がいずれかのカメラが錠剤２を撮像した時刻を含むものであれば、当該撮像時刻を優先して実撮像時刻として参照することが望ましい。
【００９６】
予想撮像時刻については、まず、搬送ドラム１０、搬送ベルト２０および搬送ベルト３０からなる錠剤２の搬送経路において、あらかじめ定められた搬送速度で搬送される錠剤２がそれぞれのカメラの撮像エリアに到達するまでにかかる経過時間を算出する。そして、搬送経路の基準位置における時刻に当該経過時間を加えることによって、予想撮像時刻を算出する。
【００９７】
ここで、搬送速度としては、たとえば２５０ｍｍ／ｓを想定することができる。また、予想撮像時刻を算出する際の基準位置としては、たとえば、供給フィーダ１２４によって導かれた錠剤２が搬送ドラム１０に到達する位置などを選択することができる。
【００９８】
なお、制御部３は、時刻情報に基づいて、順次搬送される複数の錠剤２が１つのカメラに撮像される時間間隔である撮像間隔（以下、実撮像間隔）を把握することによって、相対的な実撮像時刻を把握してもよい。さらに、搬送経路における錠剤２の搬送速度に基づいて、順次搬送される複数の錠剤２が１つのカメラに撮像される時間間隔として予想される撮像間隔（以下、予想撮像間隔）を算出することによって、相対的な予想撮像時刻を算出してもよい。
【００９９】
上記の場合には、制御部３は、実撮像間隔と対応する予想撮像間隔とが異なる場合に、錠剤２の撮像漏れが生じたと判定することができる。
【０１００】
実撮像間隔については、たとえば、時刻情報が基準時刻からの経過時間を含むものであれば、順次搬送される錠剤２に応じて１つのカメラから順次転送される複数の時刻情報に基づいて把握する。具体的には、複数の時刻情報におけるそれぞれの経過時間の差から、順次搬送される錠剤２間の撮像間隔を把握する。なお、実撮像間隔を算出する際の基準時刻は、複数の時刻情報において共通の時刻であればよい。
【０１０１】
図６は、複数の時刻情報が、基準時刻からの経過時間を含む場合の例を示す図である。図６に例が示されるように、１つのカメラによって撮像された複数の画像データ１０１とともに、対応する複数の時刻情報１００が、たとえば、画像データ１０１のヘッダー情報として制御部３へ転送される。
【０１０２】
図６に例が示される場合では、基準時刻から経過時間３００ｍｓｅｃまでは１００ｍｓｅｃごとに撮像が行われており、経過時間３００ｍｓｅｃまでの実撮像間隔は１００ｍｓｅｃとなる。一方で、経過時間３００ｍｓｅｃから経過時間５００ｍｓｅｃまでは２００ｍｓｅｃ間隔で撮像が行われており、当該期間における実撮像間隔は２００ｍｓｅｃとなる。
【０１０３】
上記の例で予想撮像間隔がたとえば１００ｍｓｅｃであった場合、経過時間３００ｍｓｅｃまでは撮像漏れは生じていないが、経過時間３００ｍｓｅｃから経過時間５００ｍｓｅｃまでの間に撮像漏れが生じていることが分かる。具体的には、経過時間５００ｍｓｅｃの時刻情報が予想撮像間隔の２倍の実撮像間隔を示しているため、対応する画像データに表示されている錠剤２の１つ前（１つ分下流）で搬送されている錠剤２に、撮像漏れが生じていることが分かる。
【０１０４】
予想撮像間隔については、搬送ドラム１０、搬送ベルト２０および搬送ベルト３０からなる錠剤２の搬送経路において、搬送ベルトの搬送方向（Ｘ軸方向）にあらかじめ定められた間隔で配置された複数の錠剤２が、それぞれのカメラの撮像エリアを横切る時間間隔を搬送速度に基づいて算出する。
【０１０５】
ここで、搬送速度としては、たとえば２５０ｍｍ／ｓを想定することができる。また、錠剤２の搬送方向における配置間隔としては、たとえば２０ｍｍの等間隔を想定することができる。
【０１０６】
なお、搬送方向において錠剤２の配置態様は、上記のような等間隔の場合に限られず、部分的に異なる間隔で配置されるような場合であってもよい。
【０１０７】
次に、外観検査カメラ５１によって撮像された５列１行の錠剤２が搬送ドラム１０によってさらに搬送されて搬送ベルト２０に近接対向する位置に到達する。このときに、搬送ドラム１０のブロー機構が当該５列１行の錠剤２が吸着保持されている５個の吸着孔１１にエアーを吹き付けることによって、当該５列１行の錠剤２に対する吸着状態を解除する。
【０１０８】
一方、搬送ドラム１０に近接対向する位置における搬送ベルト２０の保持板２２の吸着孔２１には負圧が作用している。従って、搬送ドラム１０による吸着状態が解除された５列１行の錠剤２は、搬送ドラム１０の吸着孔１１から搬送ベルト２０の吸着孔２１に受け渡されて吸着保持されることとなる。
【０１０９】
このような錠剤２の受け渡しを確実に行うため、制御部３は、搬送ドラム１０の搬送速度と搬送ベルト２０の搬送速度とを等しくするとともに、吸着孔１１と吸着孔２１とが正確に対向するように双方の搬送部の動作を同期させる制御を行っている。
【０１１０】
搬送ドラム１０から搬送ベルト２０に錠剤２が受け渡されるとき、その錠剤２は回転等せずにそのまま移動する。すなわち、それぞれの錠剤２は割線７の方向を維持したまま搬送ドラム１０から搬送ベルト２０に受け渡されることとなる。
【０１１１】
また、搬送ドラム１０から搬送ベルト２０に錠剤２が受け渡されるときに、それぞれの錠剤２は表裏反転することとなる。すなわち、搬送ドラム１０では割線７が形成された表面を外側に向けて吸着保持されていた錠剤２は、裏面を外側に向けて搬送ベルト２０の吸着孔２１に吸着保持される。逆に、搬送ドラム１０では裏面を外側に向けて吸着保持されていた錠剤２は、表面を外側に向けて搬送ベルト２０に吸着保持される。
【０１１２】
従って、搬送ドラム１０によって搬送されていた各錠剤２はその方向を維持したまま表裏反転されて搬送ベルト２０に受け渡されて搬送される（ステップＳ６）。
【０１１３】
続いて、搬送ベルト２０によって搬送されている複数の錠剤２を外観検査カメラ５２が撮像する（ステップＳ７）。搬送ベルト２０は、搬送ドラム１０から表裏反転させて受け取った複数の錠剤２を搬送方向と垂直な方向に５列ずつ整列させて搬送している。外観検査カメラ５２は、搬送ベルト２０の外側から錠剤２を撮像する。よって、外観検査カメラ５２によって撮像される複数の錠剤２にも、外観検査カメラ５２に対して表面を向けているものと裏面を向けているものとがランダムに含まれている。
【０１１４】
但し、搬送ドラム１０から搬送ベルト２０に各錠剤２を受け渡すときに表裏が反転するため、外観検査カメラ５１が撮像した各錠剤２の表裏と外観検査カメラ５２が撮像した対応する錠剤２の表裏とは完全に逆となる。
【０１１５】
換言すれば、外観検査カメラ５２は、搬送ベルト２０によって搬送される複数の錠剤２の他方面を撮像しているのである。ここで、「他方面」とは、上述の一方面とは反対側の面という意味であり、錠剤２の表面であるか裏面であるかに関わりなく、搬送ベルト２０によって搬送されている錠剤２の外側を向いている面である。
【０１１６】
搬送ベルト２０の搬送面は略平面であるため、外観検査カメラ５２は複数行にわたって錠剤２を撮像することも可能であるが、本実施の形態では外観検査カメラ５１の撮像範囲と整合するように、外観検査カメラ５２も搬送ベルト２０の搬送方向と垂直な方向に５個の錠剤を配列した行ごとに撮像を行う。
【０１１７】
また、外観検査カメラ５２によって複数の錠剤２の他方面に付着している異物などを検出する（ステップＳ８）。外観検査カメラ５２は、搬送ベルト２０によって搬送される複数の錠剤２の他方面を撮像することにより、複数の錠剤２の他方面に付着している異物などを検出するのである。
【０１１８】
外観検査カメラ５２によって撮像された結果である画像データは、制御部３に転送される。制御部３は、その画像データに所定の画像処理を施すことによって、複数の錠剤２のうち他方面に表面を向けている錠剤２の割線７の方向および他方面に異物６が付着している錠剤２を認識する。
【０１１９】
また、上記の画像データのたとえばヘッダー情報として、当該撮像の時刻情報も制御部３に転送される。
【０１２０】
制御部３は、画像データとともに転送された時刻情報に基づいて、画像データにおける錠剤２の実撮像時刻を把握する。また、制御部３は、搬送経路において錠剤２が搬送される速度である搬送速度に基づいて、当該錠剤２の予想撮像時刻を算出する。そして、制御部３は、実撮像時刻と予想撮像時刻とが異なる場合に、錠剤２の撮像漏れが生じたと判定する（ステップＳ９）。
【０１２１】
次に、外観検査カメラ５２によって撮像された錠剤２が搬送ベルト２０によってさらに搬送されてインクジェットヘッド６１に対向する位置に到達する。そして、インクジェットヘッド６１が錠剤２に対する印刷処理を行う（ステップＳ１０）。ここで、制御部３は、外観検査カメラ５１および外観検査カメラ５２によって取得された画像データに基づいてインクジェットヘッド６１による印刷処理を制御する。図７は、インクジェットヘッド６１による印刷処理結果の一例を示す図である。
【０１２２】
上述したように、外観検査カメラ５１は、搬送ドラム１０によって搬送される複数の錠剤２の一方面を撮像する。搬送ドラム１０から搬送ベルト２０に錠剤２が受け渡されるときに、全ての錠剤２の表裏が反転する。そして、外観検査カメラ５２は、搬送ベルト２０によって搬送される複数の錠剤２の他方面を撮像する。
【０１２３】
従って、全ての錠剤２について、外観検査カメラ５１および外観検査カメラ５２によって表裏両面が撮像されて画像データが取得されている。具体的には、外観検査カメラ５１によって表面が撮像された錠剤２については外観検査カメラ５２によって裏面が撮像される。逆に、外観検査カメラ５１によって裏面が撮像された錠剤２については外観検査カメラ５２によって表面が撮像される。
【０１２４】
インクジェットヘッド６１は、搬送ベルト２０によって搬送される複数の錠剤２の他方面に対して印刷処理を行うこととなる。但し、インクジェットヘッド６１は、複数の錠剤２のうち外観検査工程（ステップＳ４）および外観検査工程（ステップＳ８）の双方において異物などが検出されていない、かつ、撮像漏れ判定工程（ステップＳ５）および撮像漏れ判定工程（ステップＳ９）の双方において撮像漏れが生じたと判定されていない錠剤２に対してのみ印刷処理を行う。
【０１２５】
具体的には、外観検査カメラ５１および外観検査カメラ５２によって取得された画像データに基づいて、複数の錠剤２のうち外観検査カメラ５１および外観検査カメラ５２によって異物などが検出されず、これらの画像データとともに転送された時刻情報に基づいて、実撮像時刻と予想撮像時刻とが一致する（または、実撮像間隔と対応する予想撮像間隔とが一致する）錠剤２に対してのみ印刷処理を行うように、制御部３がインクジェットヘッド６１を制御する。
【０１２６】
また、制御部３は、搬送ベルト２０によって搬送される複数の錠剤２のうち他方面が表面である錠剤２に対しては表面用印刷データに基づいてインクジェットヘッド６１に表面用印刷処理を行わせる。ここでは、表面用印刷データとして、例えば「ＡＢＣＤ」の文字データとする。
【０１２７】
さらに、制御部３は、当該錠剤２の表面に形成された割線７に対する所定方向に沿ってインクジェットヘッド６１に錠剤２の表面への表面用印刷処理を行わせる。本実施の形態では、錠剤２の表面の割線７と平行な方向に沿ってインクジェットヘッド６１が印刷処理を行う。搬送ベルト２０によって搬送される複数の錠剤２のうち他方面が表面である錠剤２における割線７の方向については、外観検査カメラ５２によって取得された画像データに画像処理を施すことによって制御部３が認識することができる（図７の実線で示す割線７の方向）。
【０１２８】
一方、制御部３は、搬送ベルト２０によって搬送される複数の錠剤２のうち他方面が裏面である錠剤２に対しては、裏面用印刷データに基づいてインクジェットヘッド６１に裏面用印刷処理を行わせる。ここでは、裏面用印刷データとして、例えば「１２３４」の文字データとする。
【０１２９】
制御部３は、当該錠剤２の表面に形成されている割線７に対する上記所定方向と同一方向に沿って、インクジェットヘッド６１に当該錠剤２の裏面にも裏面用印刷処理を行わせる。本実施の形態では、錠剤２の表面に対しては割線７と平行な方向に沿って印刷処理が行われており、錠剤２の裏面に対しても表面側の割線７と平行な方向に沿ってインクジェットヘッド６１が印刷処理を行う。
【０１３０】
搬送ベルト２０によって搬送される複数の錠剤２のうち他方面が裏面である錠剤２の表面側における割線７の方向については、外観検査カメラ５１によって取得された画像データに画像処理を施すことによって制御部３が認識することができる（図７の点線で示す割線７の方向）。
【０１３１】
さらに、制御部３は、外観検査カメラ５２によって取得された画像データに基づいて、インクジェットヘッド６１による各錠剤２に対する印刷位置の微調整（修正）を行う。搬送ベルト２０の吸着孔２１のサイズは錠剤２の大きさよりもやや大きいため、搬送ドラム１０から搬送ベルト２０に錠剤２が受け渡されるとき、各錠剤２の方向性は維持されるものの、吸着孔２１の範囲内で若干の位置のバラツキが生じる。
【０１３２】
制御部３は、外観検査カメラ５２によって取得された画像データから吸着孔２１内における各錠剤２の位置のずれを検出し、その検出結果に基づいて印刷位置の微調整を実行する。このようにして、複数の錠剤２の他方面に対する印刷処理が実行される。
【０１３３】
本実施の形態においては、異物などが検出された錠剤２、および、撮像漏れが生じた錠剤２に対しては印刷処理を行わない。その結果、図７に例が示されるように、搬送ベルト２０によって搬送される複数の錠剤２のうち異物などが検出されず、撮像漏れが生じず、かつ、他方面が表面である錠剤２（図７の右側の錠剤２）については、表面に形成された割線７と平行な方向に沿って「ＡＢＣＤ」という文字列がインクジェットヘッド６１によって錠剤２の表面に印刷されることとなる。
【０１３４】
また、搬送ベルト２０によって搬送される複数の錠剤２のうち異物などが検出されず、撮像漏れが生じず、かつ、他方面が裏面である錠剤２（図７の左側の錠剤２）については、表面に形成された割線７と平行な方向に沿って「１２３４」という文字列がインクジェットヘッド６１によって錠剤２の裏面に印刷されることとなる。
【０１３５】
次に、他方面に対する印刷処理が行われた錠剤２が、搬送ベルト２０によってさらに搬送されて製品検査カメラ７１に対向する位置に到達する。製品検査カメラ７１は、搬送ベルト２０によって搬送される複数の錠剤２の他方面を撮像し、インクジェットヘッド６１による複数の錠剤２の他方面に対する印刷処理の結果を撮像する。
【０１３６】
製品検査カメラ７１は、取得した画像データを制御部３に転送する。制御部３は、製品検査カメラ７１によって取得された画像データに基づいて、複数の錠剤２の他方面に対するインクジェットヘッド６１の印刷処理結果を確認する（ステップＳ１１）。このとき、複数の錠剤２のうち他方面に異物６が付着している錠剤２については、その異物６の付着も製品検査カメラ７１による撮像によって検知されることとなる。
【０１３７】
次に、他方面の印刷処理結果が検査された錠剤２が搬送ベルト２０によってさらに搬送されてヒータ７６に対向する位置に到達する。図１に例が示されたように、ヒータ７６は搬送ベルト２０よりも下方に設置されており、錠剤２がヒータ７６に対向する位置に到達したときには、当該錠剤２は搬送ベルト２０によって下向きに保持されていることとなる。搬送ベルト２０は吸着孔２１に負圧を作用させることによって錠剤２を吸着保持しているため、錠剤２を下向きに保持することも可能である。
【０１３８】
ヒータ７６は、搬送ベルト２０によって搬送される複数の錠剤２の他方面に対して熱風を吹き付けてそれら複数の錠剤２を乾燥させる（ステップＳ１２）。このような乾燥処理を行うことによって、インクジェットヘッド６１から複数の錠剤２に吐出されたインクを迅速に乾燥させてにじみを防止することができる。
【０１３９】
次に、ヒータ７６によって乾燥された５列１行の錠剤２が搬送ベルト２０によってさらに搬送されて搬送ベルト３０に近接対向する位置に到達する。このときに、搬送ベルト２０のブロー機構が当該５列１行の錠剤２が吸着保持されている５個の吸着孔２１にエアーを吹き付けることによって当該５列１行の錠剤２に対する吸着状態を解除する。一方、搬送ベルト２０に近接対向する位置における搬送ベルト３０の吸着孔には負圧が作用している。従って、搬送ベルト２０による吸着状態が解除された５列１行の錠剤２は、搬送ベルト２０の吸着孔２１から搬送ベルト３０の吸着孔に受け渡されて吸着保持されることとなる。このような錠剤２の受け渡しを確実に行うため、制御部３は、搬送ベルト２０の搬送速度と搬送ベルト３０の搬送速度とを等しくするとともに、双方の搬送ベルトの吸着孔が正確に対向するように双方の搬送ベルトの動作を同期させる制御を行っている。
【０１４０】
搬送ベルト２０から搬送ベルト３０に錠剤２が受け渡されるとき、その錠剤２は回転等することなくそのまま移動する。すなわち、それぞれの錠剤２は割線７の方向を維持したまま搬送ベルト２０から搬送ベルト３０に受け渡されることとなる。
【０１４１】
また、搬送ベルト２０から搬送ベルト３０に錠剤２が受け渡されるときに、それぞれの錠剤２は表裏反転することとなる。すなわち、搬送ベルト２０では割線７が形成された表面を外側に向けて吸着保持されていた錠剤２は裏面を外側に向けて搬送ベルト３０に吸着保持される。逆に、搬送ベルト２０では裏面を外側に向けて吸着保持されていた錠剤２は表面を外側に向けて搬送ベルト３０に吸着保持される。従って、搬送ベルト２０によって搬送されていた各錠剤２はその方向を維持したまま表裏反転されて搬送ベルト３０に受け渡されて搬送されるのである（ステップＳ１３）。
【０１４２】
続いて、搬送ベルト３０によって搬送されている複数の錠剤２を外観検査カメラ５３が撮像する（ステップＳ１４）。搬送ベルト３０は、搬送ベルト２０から表裏反転させて受け取った複数の錠剤２を搬送方向と垂直な方向に５列ずつ整列させて搬送している。外観検査カメラ５３は、搬送ベルト３０の外側から錠剤２を撮像する。従って、外観検査カメラ５３が撮像した各錠剤２の表裏は、外観検査カメラ５２が撮像した対応する錠剤２の表裏とは完全に逆になる一方で、外観検査カメラ５１が撮像した対応する錠剤２の表裏とは完全に一致する。すなわち、外観検査カメラ５３は、外観検査カメラ５１と同じく、搬送ベルト３０によって搬送される複数の錠剤２の一方面を撮像している。
【０１４３】
搬送ベルト３０の搬送面は略平面であるため、外観検査カメラ５３は複数行にわたって錠剤２を撮像することも可能であるが、本実施の形態では外観検査カメラ５１の撮像範囲と整合するように、外観検査カメラ５３も搬送ベルト３０の搬送方向と垂直な方向に５個の錠剤を配列した行ごとに撮像を行う。
【０１４４】
外観検査カメラ５３による撮像は、搬送ベルト３０によって吸着保持される複数の錠剤２の位置のバラツキを検出するために行われる。制御部３は、外観検査カメラ５３によって取得された画像データから搬送ベルト３０の吸着孔内における各錠剤２の位置のずれを検出する。
【０１４５】
ここで、制御部３は、外観検査カメラ５３によって撮像された画像データおよび当該画像データとともに制御部３に転送される時刻情報を用いて、ステップＳ４およびステップＳ８におけるような外観検査、さらには、ステップＳ５およびステップＳ９におけるような撮像漏れ判定を行ってもよい。
【０１４６】
次に、外観検査カメラ５３によって撮像された錠剤２が、搬送ベルト３０によってさらに搬送されてインクジェットヘッド６２に対向する位置に到達する。そして、インクジェットヘッド６２が錠剤２に対する印刷処理を行う（ステップＳ１５）。ここで、制御部３は、主に外観検査カメラ５１および外観検査カメラ５２によって取得された画像データに基づいて、インクジェットヘッド６２による印刷処理を制御する。図８は、インクジェットヘッド６２による印刷処理結果の一例を示す図である。
【０１４７】
インクジェットヘッド６２は、搬送ベルト３０によって搬送される複数の錠剤２の一方面に対して印刷処理を行うこととなる。但し、インクジェットヘッド６１と同様に、インクジェットヘッド６２は、複数の錠剤２のうち外観検査工程（ステップＳ４）および外観検査工程（ステップＳ８）の双方において異物などが検出されていない、かつ、撮像漏れ判定工程（ステップＳ５）および撮像漏れ判定工程（ステップＳ９）の双方において撮像漏れが生じたと判定されていない錠剤２に対してのみ印刷処理を行う。
【０１４８】
具体的には、主に外観検査カメラ５１および外観検査カメラ５２によって取得された画像データに基づいて、複数の錠剤２のうち外観検査カメラ５１および外観検査カメラ５２によって異物などが検出されず、かつ、外観検査カメラ５１、外観検査カメラ５２および外観検査カメラ５３からの画像データとともに転送された全ての時刻情報に基づいて、実撮像時刻と予想撮像時刻とが一致する（または、実撮像間隔と対応する予想撮像間隔とが一致する）錠剤２に対してのみ印刷処理を行うように、制御部３がインクジェットヘッド６２を制御する。
【０１４９】
また、制御部３は、搬送ベルト３０によって搬送される複数の錠剤２のうち一方面が表面である錠剤２に対しては表面用印刷データに基づいてインクジェットヘッド６２に表面用印刷処理を行わせる。ここでは、表面用印刷データは、上記と同様の「ＡＢＣＤ」の文字データである。
【０１５０】
さらに、制御部３は、当該錠剤２の表面に形成された割線７に対する上記所定方向に沿ってインクジェットヘッド６２に表面への表面用印刷処理を行わせる。本実施の形態では、錠剤２の表面の割線７と平行な方向に沿ってインクジェットヘッド６２が印刷処理を行う。搬送ベルト３０によって搬送される複数の錠剤２のうち一方面が表面である錠剤２における割線７の方向については、外観検査カメラ５１によって取得された画像データに画像処理を施すことによって制御部３が認識することができる（図８の実線で示す割線７の方向）。
【０１５１】
一方、制御部３は、搬送ベルト３０によって搬送される複数の錠剤２のうち一方面が裏面である錠剤２に対しては、裏面用印刷データに基づいてインクジェットヘッド６２に裏面用印刷処理を行わせる。ここでは、裏面用印刷データは、上記と同様の「１２３４」の文字データである。
【０１５２】
制御部３は、当該錠剤２の表面に形成されている割線７に対する上記所定方向と同一方向に沿って、インクジェットヘッド６２に当該錠剤２の裏面にも裏面用印刷処理を行わせる。本実施の形態では、錠剤２の表面に対しては割線７と平行な方向に沿って印刷処理が行われており、錠剤２の裏面に対しても表面側の割線７と平行な方向に沿ってインクジェットヘッド６２が印刷処理を行う。
【０１５３】
搬送ベルト３０によって搬送される複数の錠剤２のうち一方面が裏面である錠剤２における表面側の割線７の方向については、外観検査カメラ５２によって取得された画像データに画像処理を施すことによって制御部３が認識することができる（図８の点線で示す割線７の方向）。
【０１５４】
さらに、制御部３は、外観検査カメラ５３によって取得された画像データに基づいて、インクジェットヘッド６２による各錠剤２に対する印刷位置の微調整（修正）を行う。上述したのと同様に、搬送ベルト２０から搬送ベルト３０に錠剤２が受け渡されるとき、各錠剤２の方向性は維持されるものの、吸着孔の範囲内で若干の位置のバラツキが生じる。
【０１５５】
制御部３は、外観検査カメラ５３によって取得された画像データから搬送ベルト３０の吸着孔内における各錠剤２の位置のずれを検出し、その検出結果に基づいて印刷位置の微調整を実行する。このようにして、複数の錠剤２の一方面に対する印刷処理が実行される。
【０１５６】
本実施の形態においては、異物などが検出された錠剤２、および、撮像漏れが生じた錠剤２に対しては印刷処理を行わない。その結果、図８に例が示されるように、搬送ベルト３０によって搬送される複数の錠剤２のうち異物などが検出されず、撮像漏れが生じず、かつ、一方面が表面である錠剤２（図８の左側の錠剤２）については、表面に形成された割線７と平行な方向に沿って「ＡＢＣＤ」という文字列がインクジェットヘッド６２によって錠剤２の表面に印刷されることとなる。
【０１５７】
また、搬送ベルト３０によって搬送される複数の錠剤２のうち異物などが検出されず、撮像漏れが生じず、かつ、一方面が裏面である錠剤２（図８の右側の錠剤２）については、表面に形成された割線７と平行な方向に沿って「１２３４」という文字列がインクジェットヘッド６２によって錠剤２の裏面に印刷されることとなる。
【０１５８】
次に、一方面に対する印刷処理が行われた錠剤２が、搬送ベルト３０によってさらに搬送されて製品検査カメラ７２に対向する位置に到達する。製品検査カメラ７２は、搬送ベルト３０によって搬送される複数の錠剤２の一方面を撮像し、インクジェットヘッド６２による複数の錠剤２の一方面に対する印刷処理の結果を撮像する。
【０１５９】
製品検査カメラ７２は、取得した画像データを制御部３に転送する。制御部３は、製品検査カメラ７２によって取得された画像データに基づいて、複数の錠剤２の一方面に対するインクジェットヘッド６２の印刷処理結果を確認する（ステップＳ１６）。このとき、複数の錠剤２のうち一方面に異物が付着している錠剤２については、その異物の付着も製品検査カメラ７２による撮像によって検知されることとなる。
【０１６０】
また、上記の画像データのたとえばヘッダー情報として、当該撮像の時刻情報も制御部３に転送される。
【０１６１】
制御部３は、画像データとともに転送された時刻情報に基づいて、画像データにおける錠剤２の実撮像時刻を把握する。また、制御部３は、搬送経路において錠剤２が搬送される速度である搬送速度に基づいて、当該錠剤２の予想撮像時刻を算出する。そして、制御部３は、実撮像時刻と予想撮像時刻とが異なる場合に、錠剤２の撮像漏れが生じたと判定する（ステップＳ１７）。
【０１６２】
続いて、一方面の印刷処理結果が検査された錠剤２が搬送ベルト３０によってさらに搬送されてヒータ７７に対向する位置に到達する。ヒータ７７は、搬送ベルト３０によって搬送される複数の錠剤２の一方面に対して熱風を吹き付けてそれら複数の錠剤２を乾燥させる（ステップＳ１８）。このような乾燥処理を行うことによって、インクジェットヘッド６２から複数の錠剤２に吐出されたインクを迅速に乾燥させてにじみを防止することができる。
【０１６３】
最後に、表裏両面の検査が終了した錠剤２の仕分け処理が行われる（ステップＳ１９）。具体的には、以下の処理を、制御部３の制御でブロー機構を動作させることによって行う。
【０１６４】
ステップＳ１１およびステップＳ１６における表裏両面の印刷処理の結果に問題がなく、かつ、撮像漏れも生じていない錠剤２、つまり良品の錠剤２については、ブロー機構からのエアー吹き付けによって良品ダクト４８に投入される。良品ダクト４８に放出された錠剤２は良品回収ボックス５８に回収される。
【０１６５】
一方、表裏両面のいずれかの印刷処理の結果に問題のあった錠剤２、つまり不良品の錠剤２については、ブロー機構からのエアー吹き付けによって印刷不良品ダクト４６に投入される。印刷不良品ダクト４６に放出された錠剤２は印刷不良品ボックス５６に回収される。
【０１６６】
また、複数の錠剤２のうち外観検査カメラ５１または外観検査カメラ５２によって異物などが検出された錠剤２、すなわち印刷処理が行われなかった錠剤２については、ブロー機構からのエアー吹き付けによって外観不良品ダクト４７に投入される。外観不良品ダクト４７に放出された錠剤２は外観不良品ボックス５７に回収される。このように、欠陥などが検出された錠剤２については、欠陥などが検出されずに印刷処理が行われた錠剤２とは別に外観不良品ボックス５７に回収することができる。
【０１６７】
また、複数の錠剤２のうち外観検査カメラ５１、外観検査カメラ５２、外観検査カメラ５３、製品検査カメラ７１または製品検査カメラ７２における撮像漏れが生じた錠剤２については、ブロー機構からのエアー吹き付けによって撮像漏れダクト４９に投入される。撮像漏れダクト４９に放出された錠剤２は撮像漏れボックス５９に回収される。このように、撮像漏れが生じた錠剤２については、異物などが検出されずに印刷処理が行われた錠剤２とは別に撮像漏れボックス５９に回収することができる。
【０１６８】
なお、撮像漏れボックス５９に回収された錠剤２は、錠剤２の搬送経路における上流側へ再投入されてもよい。具体的には、撮像漏れが生じたカメラの位置よりも上流の位置から投入されることが望ましい。たとえば、製品検査カメラ７１における撮像漏れが生じたのであれば、ホッパー８ではなくインクジェットヘッド６２よりも下流であって製品検査カメラ７１よりも上流の位置から、撮像漏れが生じた錠剤２が投入されてもよい。当該投入動作は、図示しない駆動アームなどが、制御部３の制御で動作することによって行われてもよい。
【０１６９】
本実施の形態に関する錠剤印刷装置では、それぞれのカメラから画像データとともに転送される時刻情報を用いることによって、撮像漏れが生じた錠剤２が制御部３においてリアルタイムで特定される。そのため、撮像漏れが生じた錠剤２に対するその後の搬送経路における印刷処理の有無、回収されるボックスの種別、さらには、当該錠剤２の搬送経路への再投入まで、後続する処理を迅速かつ効率的に行うことができる。
【０１７０】
そして、撮像漏れが生じた対象物が各種検査を通過してしまうこと、または、撮像漏れが生じたことに伴って、各種検査に問題がない錠剤２をも含む撮像漏れが疑われる錠剤２を大量に破棄することなどを防ぐことができる。
【０１７１】
なお、本実施の形態では、撮像漏れが生じた錠剤２は撮像漏れボックス５９に別途回収されているが、このような仕分け方法に限られるものではなく、たとえば、撮像漏れが生じた錠剤２を不良品とみなして印刷不良品ボックス５６に回収してもよい。
【０１７２】
以上のようにして、錠剤印刷装置１における錠剤２への印刷処理が終了する。
【０１７３】
＜以上に記載された実施の形態によって生じる効果について＞
次に、以上に記載された実施の形態によって生じる効果を例示する。なお、以下の説明においては、以上に記載された実施の形態に例示された具体的な構成に基づいて当該効果が記載されるが、同様の効果が生じる範囲で、本願明細書に例示される他の具体的な構成と置き換えられてもよい。
【０１７４】
以上に記載された実施の形態によれば、判定装置は、搬送部と、撮像部と、判定部とを備える。ここで、搬送部は、例えば、搬送ドラム１０、搬送ベルト２０および搬送ベルト３０を含むものである。また、撮像部は、例えば、外観検査カメラ５１、外観検査カメラ５２、外観検査カメラ５３、製品検査カメラ７１および製品検査カメラ７２のうちの少なくとも１つに対応するものである。また、判定部は、例えば、制御部３に含まれるものである。搬送部は、少なくとも１つの対象物を搬送する。ここで、対象物は、例えば、錠剤２に対応するものである。撮像部は、搬送部によって搬送される錠剤２を錠剤２の搬送経路において撮像する。そして、撮像部は、錠剤２の画像データを作成する。さらに、撮像部は、画像データを転送する。制御部３は、受信した画像データに基づいて、錠剤２の撮像漏れが生じたことを判定する。画像データは、錠剤２の撮像時刻に関する情報である時刻情報とともに制御部３に転送される。制御部３は、時刻情報から得られる錠剤２の撮像時刻である第１の撮像時刻と、搬送経路において錠剤２が搬送される速度である搬送速度から算出される錠剤２の撮像時刻である第２の撮像時刻とが異なる場合に、錠剤２の撮像漏れが生じたことを判定する。
【０１７５】
このような構成によれば、画像データとともに転送される時刻情報から得られる錠剤２の実撮像時刻と、搬送速度からあらかじめ算出される錠剤２の予想撮像時刻とを比較することによって、撮像漏れが生じた錠剤２をリアルタイムで特定することができる。よって、撮像漏れが生じた錠剤２に対するその後の搬送経路における印刷処理の有無、回収されるボックスの種別、さらには、当該錠剤２の搬送経路への再投入まで、後続する処理を迅速かつ効率的に行うことができる。そして、撮像漏れが生じた対象物が各種検査を通過してしまうこと、および、撮像漏れが生じたことに伴って、各種検査に問題がない錠剤２をも含む撮像漏れが疑われる錠剤２を大量に破棄することなどを防ぐことができる。
【０１７６】
なお、これらの構成以外の本願明細書に例示される他の構成については適宜省略することができる。すなわち、少なくともこれらの構成を備えていれば、以上に記載された効果を生じさせることができる。
【０１７７】
しかしながら、本願明細書に例示される他の構成のうちの少なくとも１つを、以上に記載された構成に適宜追加した場合、すなわち、以上に記載された構成としては言及されなかった本願明細書に例示される他の構成が適宜追加された場合であっても、同様の効果を生じさせることができる。
【０１７８】
また、以上に記載された実施の形態によれば、時刻情報は、撮像部が錠剤２を撮像した後、作成された画像データを転送した時刻を示す情報を含む。このような構成によれば、錠剤２の撮像時刻自体が不明である場合にも、制御部３に画像データが転送された時刻に基づいて撮像漏れが生じたか否かを判定することができる。
【０１７９】
また、以上に記載された実施の形態によれば、時刻情報は、制御部３が画像データを受信した時刻を示す情報を含む。このような構成によれば、錠剤２の撮像時刻自体が不明である場合にも、制御部３が画像データを受信した時刻に基づいて撮像漏れが生じたか否かを判定することができる。
【０１８０】
また、以上に記載された実施の形態によれば、撮像部は、搬送部によって搬送される複数の錠剤２を搬送経路において順次撮像して複数の画像データを順次作成し、さらに、複数の画像データを順次転送する。そして、制御部３は、複数の時刻情報から得られる複数の錠剤２間の撮像間隔である第１の撮像間隔と、搬送速度と複数の錠剤２の配置間隔とから算出される複数の錠剤２間の撮像間隔である第２の撮像間隔とが異なる場合に、対応する錠剤２の撮像漏れが生じたことを判定する。このような構成によれば、錠剤２の撮像時刻自体が不明である場合にも、順次搬送される複数の錠剤２が１つのカメラに撮像される時間間隔に基づいて、撮像漏れが生じたか否かを判定することができる。
【０１８１】
また、以上に記載された実施の形態によれば、制御部３の判定結果に基づいて、撮像漏れが生じた錠剤２を選別する選別部を備える。ここで、選別部は、例えば、制御部３に含まれるものである。このような構成によれば、撮像漏れが生じた錠剤２を、良品の錠剤２とは別に回収することができる。そのため、撮像漏れが生じた錠剤２を搬送経路に再投入する際にも、効率的に処理を行うことができる。
【０１８２】
また、以上に記載された実施の形態によれば、制御部３は、撮像漏れが生じたと判定された錠剤２を、搬送経路における撮像部よりも上流の位置へ戻す。このような構成によれば、撮像漏れが生じた錠剤２を対応するカメラで再び撮像することによって、外観検査または製品検査を適切に行うことができる。
【０１８３】
また、以上に記載された実施の形態によれば、上記の判定装置と、判定装置によって撮像漏れの有無を判定された錠剤に印刷を行う印刷部とを備える。ここで、印刷部は、例えば、インクジェットヘッド６１およびインクジェットヘッド６２のうちの少なくとも１つに対応するものである。このような構成によれば、撮像漏れの有無に基づいて印刷を行う錠剤２を選択するため、印刷処理結果の確認を併せて行うことによって、撮像漏れが生じた錠剤２が良品として回収されることを防止することができる。
【０１８４】
また、以上に記載された実施の形態によれば、撮像漏れが生じていないと判定された錠剤にのみ印刷を行う。このような構成によれば、撮像漏れが生じていない錠剤２のみに対して印刷を行うため、撮像漏れが生じた錠剤２が良品として回収されることを防止しつつ、印刷効率を高めることができる。
【０１８５】
＜以上に記載された実施の形態における変形例について＞
以上、実施の形態が説明されたが、この発明はその趣旨を逸脱しない限りにおいて上述したもの以外に種々の変更を行うことが可能である。例えば、上記実施の形態においては、錠剤２の表裏両面に印刷処理を行っていたが、表面または裏面のいずれか一方のみに印刷処理を行うようにしてもよい。
【０１８６】
また、錠剤２に割線７が設けられていない場合、つまり表裏の区別のない錠剤２に対して印刷処理を行う場合にも本実施の形態に関する技術を適用することができる。この場合、錠剤２の片面のみに印刷できればよいのであれば、インクジェットヘッド６１またはインクジェットヘッド６２のいずれか一方のみで印刷を行うようにしてもよい。
【０１８７】
また、上記実施形態においては、インクの液滴を吐出するインクジェット方式によって印刷処理を行っていたが、印刷処理の手法はこれに限定されるものではなく、凸版印刷、グラビア印刷を含む凹版印刷、または、レーザー印刷などであってもよい。
【０１８８】
また、錠剤２の形状は円盤形状に限定されるものではなく、例えば略楕円形状や棒状など他の形状であってもよい。この場合、各搬送部の吸着孔は錠剤２の形状に応じたものとなる。
【０１８９】
また、上記実施形態においては、５列１行の単位で錠剤２を搬送するようにしていたが、これに限定されるものではなく、１列で錠剤２を搬送するようにしてもよいし、２列以上の複数列にて錠剤２を搬送するようにしてもよい。
【符号の説明】
【０１９０】
１  錠剤印刷装置
２  錠剤
３  制御部
５  筐体
６  異物
７  割線
８  ホッパー
１０  搬送ドラム
１０Ａ，１０Ｂ  プーリ
１１，２１  吸着孔
２０，３０  搬送ベルト
２２  保持板
４６  印刷不良品ダクト
４７  外観不良品ダクト
４８  良品ダクト
４９  撮像漏れダクト
５１，５２，５３  外観検査カメラ
５６  印刷不良品ボックス
５７  外観不良品ボックス
５８  良品回収ボックス
５９  撮像漏れボックス
６１，６２  インクジェットヘッド
７１，７２  製品検査カメラ
７６，７７  ヒータ
８３，８４  清掃機構
１００  時刻情報
１０１  画像データ
１２２  直進フィーダ
１２３  回転フィーダ
１２４  供給フィーダ
【図１】
2019138763.tif 000003
【図２】
2019138763.tif 000004
【図３】
2019138763.tif 000005
【図４】
2019138763.tif 000006
【図５】
2019138763.tif 000007
【図６】
2019138763.tif 000008
【図７】
2019138763.tif 000009
【図８】
2019138763.tif 000010